(57)【要約】      （修正有）【課題】ＡＶデータを再生することができるマルチメディア機能付き水素水生成機を提供する。【解決手段】プロセスユニット１１と、マルチメディア機能付き水素水生成機を操作するために用いられる操作用インタフェースユニット１２と、電子装置３０の転送したＡＶデータを受信するための転送ユニット１３と、ＡＶデータを再生するマルチメディアユニット１４と、マルチメディア機能付き水素水生成機が必要とする電力を供給する給電ユニット１５とが設けられ、操作用インタフェースユニット１２、転送ユニット１３、マルチメディアユニット１４、及び給電ユニット１５が、それぞれプロセスユニット１１に電気的に接続された水素水生成機本体１０と、水素水生成機本体１０に電気的に接続され、水分子を電解反応して水素と酸素を発生させる電解ユニット２１とを含む。【選択図】図１
0003202027.tif 000002
【実用新案登録請求の範囲】
【請求項１】
マルチメディア機能付き水素水生成機であって、
プロセスユニットと、ユーザが前記マルチメディア機能付き水素水生成機を操作するために用いられる操作用インタフェースユニットと、電子装置の転送したＡＶデータを受信するための転送ユニットと、前記ＡＶデータを再生するマルチメディアユニットと、前記マルチメディア機能付き水素水生成機が必要とする電力を供給する給電ユニットとが設けられ、前記操作用インタフェースユニット、前記転送ユニット、前記マルチメディアユニット、及び前記給電ユニットが、それぞれ前記プロセスユニットに電気的に接続された水素水生成機本体と、
前記水素水生成機本体に電気的に接続され、水分子を電解反応して水素と酸素を発生させる電解ユニットとを含む、
マルチメディア機能付き水素水生成機。
【請求項２】
前記電解ユニットが電極ケース内に設けられるとともに、ケーブルを介して前記電極ケースが前記水素水生成機本体に接続されていることを特徴とする請求項１記載のマルチメディア機能付き水素水生成機。
【請求項３】
前記転送ユニットは、ブルートゥース(登録商標)転送ユニット、Ｗｉ−Ｆｉ(登録商標)転送ユニット、近距離無線通信転送ユニットのうち一つまたは全てであることを特徴とする請求項１または２に記載のマルチメディア機能付き水素水生成機。
【請求項４】
前記転送ユニットは、さらに、ＵＳＢ接続ポート、音源入力孔のうち一つまたは全てを備えることを特徴とする請求項１または２に記載のマルチメディア機能付き水素水生成機。
【請求項５】
前記転送ユニットは、さらに、ＵＳＢ接続ポート、音源入力孔のうち一つまたは全てを備えることを特徴とする請求項３記載のマルチメディア機能付き水素水生成機。
【請求項６】
前記マルチメディアユニットは、さらに、前記ＡＶデータの音源を再生するスピーカを少なくとも一つ含むことを特徴とする請求項１または２に記載のマルチメディア機能付き水素水生成機。
【請求項７】
前記マルチメディアユニットは、さらに、前記ＡＶデータの映像を表示するスクリーンを少なくとも一つ含むことを特徴とする請求項１または２に記載のマルチメディア機能付き水素水生成機。
【請求項８】
前記水素水生成機本体は、さらに、前記プロセスユニットに電気的に接続され、前記転送ユニットが受信した前記ＡＶデータを記憶する記憶ユニットを備えることを特徴とする請求項１または２に記載のマルチメディア機能付き水素水生成機。
【請求項９】
前記水素水生成機本体は、さらに、前記プロセスユニットに電気的に接続された発光ユニットを少なくとも一つ含むことを特徴とする請求項１または２に記載のマルチメディア機能付き水素水生成機。
【請求項１０】
前記水素水生成機本体は、さらに、前記プロセスユニットに電気的に接続されたラジオユニットを有し、前記操作用インタフェースユニットにより異なるラジオの周波数を選択することで、ラジオの放送を受信し、ユーザに放送番組を聞かせるように前記マルチメディアユニットで再生することを特徴とする請求項１または２に記載のマルチメディア機能付き水素水生成機。
【請求項１１】
前記水素水生成機本体は、さらに、前記プロセスユニットに電気的に接続され、前記ＡＶデータの映像を投影して結像させるプロジェクトユニットを備えることを特徴とする請求項１または２に記載のマルチメディア機能付き水素水生成機。
【請求項１２】
前記水素水生成機本体は、さらに、前記プロセスユニットに電気的に接続され、前記電解ユニットが発生した水素及び酸素を水分子とともに噴射させるスプレユニットを備えることを特徴とする請求項１記載のマルチメディア機能付き水素水生成機。
【考案の詳細な説明】
【技術分野】
【０００１】
本考案は、水素水生成機に関し、特に、マルチメディアユニットによってＡＶデータを再生することができる水素水生成機に関する。
【背景技術】
【０００２】
現在、人々の飲用水に対する要求は、単純な渇きの癒しや清浄に留まらず、さらに機能性を持つ機能水が求められている。水素水（Ｈｙｄｒｏｇｅｎ  Ｗａｔｅｒ）は、そのうちの一つであり、大量の水素を含有する水であるため、水素豊富水とも称される。
【０００３】
近年、水素は医学や保健など多くの分野に効果的に運用可能であることが実証されている。その実証によれば、人が少量の水素を吸収すると、選択的な抗酸化作用が生じ、毒性のある自由基を中和することにより、例えば、糖尿病、器官の損傷、脳卒中、放射線治療による損傷、老人性認知症、卒中風、高血圧、癌などの様々な疾病を治療することができる。
【０００４】
そのため、市販の水素水生成機は、水の電解反応によって水の中に水素を発生させ、水素水を生成した後、飲ませて人体に吸収させるが、その機能は極めて限定的であり、満足できる設計とは言えず、改善する余地が存在する。
【０００５】
よって、上記の従来技術にはなお欠点があり、よい設計でないため、改良が望まれている。
【考案の概要】
【考案が解決しようとする課題】
【０００６】
本考案は、水素水生成機本体にマルチメディアユニットが設けられ、マルチメディアユニットによりＡＶデータの音響及び映像を再生することで、マルチメディア機能の効果に達し、発生した水素と水とを混合して水素水を生成する単一な機能のみに限定されないように構成されたマルチメディア機能付き水素水生成機を提供することを主な目的とする。
【課題を解決するための手段】
【０００７】
前記目的を達するための本考案は、マルチメディア機能付き水素水生成機であって、プロセスユニットと、ユーザが前記マルチメディア機能付き水素水生成機を操作するために用いられた操作用インタフェースユニットと、電子装置の転送したＡＶデータを受信するための転送ユニットと、前記ＡＶデータを再生するマルチメディアユニットと、前記マルチメディア機能付き水素水生成機が必要とする電力を供給する給電ユニットとが設けられ、前記操作用インタフェースユニット、前記転送ユニット、前記マルチメディアユニット、及び前記給電ユニットが、それぞれ前記プロセスユニットに電気的に接続された水素水生成機本体と、前記水素水生成機本体に電気的に接続され、水分子を電解反応して水素と酸素を発生させる電解ユニットとを含む。
【０００８】
前記のようなマルチメディア機能付き水素水生成機において、前記電解ユニットが電極ケース内に設けられるとともに、ケーブルを介して前記電極ケースが前記水素水生成機本体に接続されている。
【０００９】
前記のようなマルチメディア機能付き水素水生成機において、前記転送ユニットは、ブルートゥース(登録商標)転送ユニット、Ｗｉ−Ｆｉ(登録商標)転送ユニット、近距離無線通信転送ユニットのうち一つまたは全てである。
【００１０】
前記のようなマルチメディア機能付き水素水生成機において、前記転送ユニットは、ＵＳＢ接続ポート、音源入力孔のうち一つまたは全てである。
【００１１】
前記のようなマルチメディア機能付き水素水生成機において、前記マルチメディアユニットは、さらに、前記ＡＶデータの音源を再生するスピーカを少なくとも一つ含む。
【００１２】
前記のようなマルチメディア機能付き水素水生成機において、前記マルチメディアユニットは、さらに、前記ＡＶデータの映像を表示するスクリーンを少なくとも一つ含む。
【００１３】
前記のようなマルチメディア機能付き水素水生成機において、前記水素水生成機本体は、さらに、前記プロセスユニットに電気的に接続され、前記転送ユニットが受信した前記ＡＶデータを記憶する記憶ユニットを備える。
【００１４】
前記のようなマルチメディア機能付き水素水生成機において、前記水素水生成機本体は、さらに、前記プロセスユニットに電気的に接続された発光ユニットを少なくとも一つ含む。
【００１５】
前記のようなマルチメディア機能付き水素水生成機において、前記水素水生成機本体は、さらに、前記プロセスユニットに電気的に接続されたラジオユニットを有し、前記操作用インタフェースユニットにより異なるラジオの周波数を選択することで、ラジオの放送を受信し、ユーザに放送番組を聞かせるように前記マルチメディアユニットで再生する。
【００１６】
前記のようなマルチメディア機能付き水素水生成機において、前記水素水生成機本体は、さらに、前記プロセスユニットに電気的に接続され、前記ＡＶデータの映像を投影して結像させるプロジェクトユニットを備える。
【００１７】
前記のようなマルチメディア機能付き水素水生成機において、前記水素水生成機本体は、さらに、前記プロセスユニットに電気的に接続され、前記電解ユニットが発生した水素及び酸素を水分子とともに噴射させるスプレユニットを備える。
【００１８】
以上のように、本考案は、空間形態上で革新的であるだけでなく、従来に比べ前記の複数の効果が向上され、新規性及び進歩性といった法に定めた実用新案登録の要件が十分に満たされている。そこで法律に基づき出願し、本実用新案登録出願を審査の上、許可するよう懇請する。
【図面の簡単な説明】
【００１９】
【図１】本考案に係るマルチメディア機能付き水素水生成機の第１の構造図である。
【図２】本考案に係るマルチメディア機能付き水素水生成機の第２の構造図である。
【図３】本考案に係るマルチメディア機能付き水素水生成機の第３の構造図である。
【図４】本考案に係るマルチメディア機能付き水素水生成機の実施例の図である。
【図５】本考案に係るマルチメディア機能付き水素水生成機の第４の構造図である。
【考案を実施するための形態】
【００２０】
図１を参照する。図１は本考案に係るマルチメディア機能付き水素水生成機の第１の構造図である。マルチメディア機能付き水素水生成機は、水素水生成機本体１０と電解ユニット２１とを含む。
水素水生成機本体１０には、プロセスユニット１１と操作用インタフェースユニット１２と転送ユニット１３とマルチメディアユニット１４と給電ユニット１５とが設けられる。インタフェースユニット１２は、ユーザがマルチメディア機能付き水素水生成機を操作するために用いられる。転送ユニット１３は、電子装置３０が転送するＡＶデータを受信するもので、少なくとも音源と映像の両者のうち一つまたは全て備え、その内、音源と映像の規格にはこだわらず、転送ユニット１３は、有線転送または無線転送方式を介して電子装置３０（例えば、携帯電話、コンピュータ、タブレットＰＣなど）に接続され、電子装置３０が転送するＡＶデータを受信する。転送ユニット１３は、ブルートゥース(登録商標)（Ｂｌｕｅｔｏｏｔｈ）転送ユニット、Ｗｉ−Ｆｉ(登録商標)（Ｗｉｒｅｌｅｓｓ  Ｆｉｄｅｌｉｔｙ）転送ユニット、近距離通信（Ｎｅａｒ  Ｆｉｅｌｄ  Ｃｏｍｍｕｎｉｃａｔｉｏｎ、ＮＦＣ）転送ユニットのうち一つまたは全てであり、無線転送方式で電子装置３０が転送するＡＶデータを受信する。或いは、転送ユニット１３は、ＵＳＢ接続ポート、音源入力孔のうち一つまたは全てであり、有線転送方式で電子装置３０が転送するＡＶデータを受信する。
マルチメディアユニット１４は、ＡＶデータを再生し、かつマルチメディアユニット１４は、さらに、ＡＶデータの音源を再生するスピーカを少なくとも一つ含み、或いは、ＡＶデータの映像を表示するスクリーンを少なくとも一つ含む。給電ユニット１５は、マルチメディア機能付き水素水生成機が必要とする電力を供給する。操作用インタフェースユニット１２、転送ユニット１３、マルチメディアユニット１４、及び給電ユニット１５のいずれも、それぞれプロセスユニットに電気的に接続されている。
電解ユニット２１は、水素水生成機本体１０の内部に設けられるとともに、水素水生成機本体に電気的に接続され、水分子を電解反応して水素と酸素を発生させる。
【００２１】
本考案に係るマルチメディア機能付き水素水生成機は、電解ユニット２１が水を電解反応して水素と酸素を発生させ、水の中に水素を加入して水素水を形成し、或いは酸素を加入して高濃度酸素水を形成し、ユーザに提供して飲ませることができるだけでなく、マルチメディアユニット１４によって音源や、映像などのＡＶデータを再生することが可能で、マルチメディア機能を有する効果に達する。
【００２２】
次に、図２を参照する。図２は本考案に係るマルチメディア機能付き水素水生成機の第２の構造図である。
水素水生成機本体１０は、さらに、下記のそれぞれのユニットを選んで組み合わせてもよく、本考案に係るマルチメディア機能付き水素水生成機には、水分子を電解反応して水素と酸素を発生させる機能、及び音源や、映像などのＡＶデータを再生する機能だけでなく、他のユニットが持つ機能をも備えさせた。
【００２３】
第一に、水素水生成機本体１０に、プロセスユニット１１に電気的に接続された記憶ユニット１６が設けられる。
転送ユニット１３が受信したＡＶデータを記憶する。記憶ユニット１６は、ハードディスクまたはメモリカードなどの、記憶機能を有する装置であり、ユーザがＡＶデータを再生しようとすると、転送ユニット１３を介してＡＶデータの転送を行う必要はなく、ＡＶデータを転送する回数及び転送待ち時間を減らし、以前に記憶ユニット１６に記憶されたＡＶデータを直接再生することができるようになっている。
【００２４】
第二に、水素水生成機本体１０に少なくとも一つの発光ユニット１７が設けられる。
発光ユニット１７は、発光ダイオード（ＬＥＤ）であり、さらに、プロセスユニット１１に電気的に接続され、ＡＶデータを再生する時、発光ユニット１７は、プログラム設定に従ってＡＶデータの音源信号と伴い発光して点滅し、娯楽や音響効果を増加するようになっている。
【００２５】
第三に、水素水生成機本体１０に、プロセスユニット１１に電気的に接続されたラジオユニット１８が設けられる。
操作用インタフェースユニット１２により異なるラジオの周波数を選択することで、ラジオ放送を受信し、マルチメディアユニット１４のスピーカで放送して、ユーザが本考案に係るマルチメディア機能付き水素水生成機を使用すると同時に、放送番組を聞くこともできる。
【００２６】
第四に、水素水生成機本体１０に、プロセスユニット１１に電気的に接続されたプロジェクトユニット１９（例えば、プロジェクタ）が設けられる。
ＡＶデータの映像を一つの平面（例えば、壁面、ホワイトボード）に投影し結像させることで、ＡＶデータの映像の大きさを拡大し、マルチメディアユニット１４の比較的小さいスクリーンに限って表示する必要はない。
【００２７】
第五に、水素水生成機本体１０に、プロセスユニット１１に電気的に接続されたスプレユニット２０が設けられる。
電解ユニット２１が発生する水素及び酸素を水分子とともに霧状に噴霧し、この際に、ユーザは霧の中に付いている水素と酸素を直接に吸収することができるか、或いは噴出した霧を利用して顔につけて、顔の皮膚に水素と酸素を摂取させることができ、よって肌の質を改善する。
【００２８】
図３、図４を参照する。図３、図４は、本考案に係るマルチメディア機能付き水素水生成機の第３の構造図及び実施例の図である。
図１との違いは、電解ユニット２１が水素水生成機本体１０内に設けられず、電極ケース４０内に設けられる点であり、さらに、ケーブル５０を介して電極ケース４０を水素水生成機本体１０に接続することで、電解ユニット２１が水素水生成機本体１０のプロセスユニット１１に電気的に接続される。さらに、電極ケース４０を水の入った浴槽またはたらい体（図示せず）中に置けば、浴槽またはたらい体の中の水が電極ケース４０内に進入可能となり、水分子が電解ユニット２１に接触した後、電解反応して水素と酸素を生成し、ユーザが入浴または足浴と同時に、水の中からあふれ出る水素と酸素を吸収したり皮膚に水素と酸素を直接接触させて摂取したりすることができる。さらに、水素水生成機本体１０が、転送ユニット１３を介して電子装置３０（例えば、携帯電話、コンピュータ、タブレットＰＣなど）が転送するＡＶデータを受信することが可能で、さらにマルチメディアユニット１４によりＡＶデータの音源と映像などを再生することができ、ユーザがＡＶデータでもたらした愉悦な雰囲気を享受することができる。
【００２９】
最後に、さらに図５を参照する。図５は本考案に係るマルチメディア機能付き水素水生成機の第４の構造図である。
電解ユニット２１が電極ケース４０内部に設けられると、水素水生成機本体１０が依然として記憶ユニット１６、発光ユニット１７、ラジオユニット１８、プロジェクトユニット１９など多種のユニットを選んで組み合わせて設置することができる。本考案に係るマルチメディア機能付き水素水生成機には、水分子を電解反応して水素と酸素を発生させる機能、及び音源や、映像などのＡＶデータを再生する機能だけでなく、同時に、他のユニットが持つ機能、例えば、ＡＶデータを記憶し、音声や光の効果を向上し、ラジオ番組を受信し、ＡＶデータの映像を拡大するなどの機能を備えさせた。
【００３０】
以上より、本考案は、マルチメディア機能付き水素水生成機を提供し、電解ユニットによって水を電解反応して水素と酸素を生成させ、従来の水素水生成機が持つ機能を維持する外、さらに、マルチメディアユニットにより音源や、映像などのＡＶデータを再生することができ、マルチメディア機能を有する効果に達し、ユーザが、水素水または高濃度酸素水を飲んで水素と酸素を吸収する時にも、音源や映像でもたらした愉悦な雰囲気を享受することができる。これだけでなく、さらに、水素水生成機本体に多数の異なる機能のユニットを設けることで、本考案のマルチメディア機能付き水素水生成機に他のユニットが持った機能を備えさせて、本考案を利用する時にもたらした音声や光の効果を存分に楽しむことができる。
【００３１】
以上の説明は、本考案の好ましい実施例にすぎず、本考案の請求範囲を限定するものではなく、いずれの本考案の明細書及び図面内容を運用して実施した等価な構造変形も、本考案の範囲内に含まれるものであることは言うまでもない。
【符号の説明】
【００３２】
１０  水素水生成機本体
１１  プロセスユニット
１２  操用インタフェースユニット
１３  転送ユニット
１４  マルチメディアユニット
１５  給電ユニット
１６  記憶ユニット
１７  発光ユニット
１８  ラジオユニット
１９  プロジェクトユニット
２０  スプレユニット
２１  電解ユニット
３０  電子装置
４０  電極ケース
５０  ケーブル
【図１】
0003202027.tif 000003
【図２】
0003202027.tif 000004
【図３】
0003202027.tif 000005
【図４】
0003202027.tif 000006
【図５】
0003202027.tif 000007